(57)【要約】【課題】刷版工程において、ＲＩＰ機・検査機といった刷版工程の各装置を進行する品目作業の進行について、作業責任者を明確にした上で作業状況をモニタ管理し、進行させる機能を発揮する装置を提供することを課題とする。【解決手段】ＲＩＰ処理、検版処理、出力処理といった刷版作業の進捗状況を品目の進行単位毎に確認して、品目の進行単位毎の進捗状況データを記録管理する進行管理手段と、作業者の入力する作業者名を受付ける操作入力手段と、進捗状況を前記進行管理手段が管理する進行管理単位毎に画面表示する表示制御手段と、前記進捗状況データを記録する記憶部と、を具備することを特徴とする刷版進行装置、により上記課題を解決する。【選択図】  図１
2004240772.tif 000002
【特許請求の範囲】
【請求項１】
刷版工程を流れる品目データの作業進行を管理する装置であって、
ＲＩＰ処理、検版処理、出力処理といった刷版作業の進捗状況を品目の進行単位毎に確認して、品目の進行単位毎の進捗状況データを各工程における担当作業者名をも含めて記録管理する進行管理手段と、作業者の入力する作業者名を受付ける操作入力手段と、前記進行管理手段が管理する進行管理単位毎にその進捗状況を画面表示する表示制御手段と、前記進捗状況データを記録する記憶部と、を具備することを特徴とする刷版進行装置。
【請求項２】
請求項１に記載の装置の刷版進行装置において、前記進行管理手段は、進行管理単位データのＲＩＰ作業の開始及び終了または、出力処理の終了を、ネットワークを通じて接続された当該処理装置の特定のフォルダに存在するデータファイルを調べることにより検知することを特徴とする刷版進行装置。
【請求項３】
請求項１に記載の装置の刷版進行装置において、前記進行管理手段は、必要に応じてＲＩＰ装置をはじめとする処理装置に対してネットワークを通じて必要な工程作業を開始させるためのコマンドメッセージを発行する機能を備えたことを特徴とする刷版進行装置。
【請求項４】
請求項１に記載の装置の刷版進行装置において、前記表示制御手段は、前記進行管理手段が管理する進行管理単位毎に進行状況を画面表示する際、作業開始ないし作業中ないし正常作業終了ないし不良発見などの異常発生といった進行状況を、表示色によって区別して画面表示することを特徴とする刷版進行装置。
【請求項５】
請求項１に記載の装置の刷版進行装置において、前記表示制御手段は、前記進行管理手段が管理する進行管理単位毎に進行状況を画面表示する際、担当作業者が存在する処理工程については担当作業者名を含めて画面表示することを特徴とする刷版進行装置。
【請求項６】
請求項１に記載の刷版進行装置において、前記表示制御手段は、前記進行管理手段が管理する進行管理単位毎にその進行状況を画面表示する際、どのような品目かが簡単に把握できるようにするためにサムネイル画像とともに表示することを特徴とする刷版進行装置。
【請求項７】
請求項１記載の刷版進行装置において、品目の進行単位毎の進捗履歴データを進行管理単位ごとに記録管理したデータベースを維持管理することにより、作業者名ないし日付ないし品番ないし不良の有無をキーワードとした検索キーによって現在進行中または処理が完了した品目データの作業履歴情報を検索する機能を具えることを特徴とする刷版進行装置。
【請求項８】
コンピュータまたはコンピュータが組込まれた刷版工程の装置に組込むことによって、そのコンピュータまたは刷版工程の装置を請求項１から請求項７のいずれかに記載の刷版進行装置として動作させる一連の命令を記述したコンピュータプログラム。
【発明の詳細な説明】
【０００１】
【発明の属する技術分野】
本発明は、刷版工程における作業の進捗・履歴管理と作業のための手法および装置に関する。
【０００２】
【従来技術】
刷版工程において作業進捗システムは、作業進捗状況の集計や指示を行うサーバとして存在し、ネットワークにより各作業を実際に行なう面付け装置、ＤＤＣＰ（Ｄｉｒｅｃｔ  Ｄｉｇｉｔａｌ  Ｃｏｌｏｒ  Ｐｒｏｏｆｅｒ）、ＲＩＰ（Ｒａｓｔｅｒ  Ｉｍａｇｅ  Ｐｒｏｃｅｓｓｏｒ）機などと接続されている。製品の製造形態を記述した製造情報から作業指示情報を作成したり、製品の受注形態を記述した受注情報、製品ごとの作成工程を記述した製品別工程管理情報、製品の作成記期日を記述した予定情報から工程設計情報を作成したり、各装置からの作業開始時刻、終了時刻、作業条件などの作業実績情報を受け取り集計する工程管理システムは存在しており、それらの情報をもとにオペレータが判断して、次の作業を行なっていた（特許文献１）。また、製版工程ではレイアウトスキャナ（製版システム）の作業履歴出力や品目ごとの作業情報データを出力するレイアウト管理装置といったものがある（特許文献２）。その他、作業者の負担を軽減する為に、所定時間おきにフォルダを監視し、そのフォルダ内にデータが保存されると、あらかじめ設定された所要の作業が自動で行なわれるホットフォルダを用いた作業の一部自動化が行なわれている（特許文献３）。このように、作業管理や作業の自動化に関連するソフトや装置は存在する。
【０００３】
【特許文献１】
特開２００２−１９０６７号公報
【特許文献２】
特開平６−７５３５６号公報
【特許文献３】
特開２０００−１１８０９５号公報
【０００４】
【発明が解決しようとする課題】
刷版工程は、品目や部分作業ごとにオペレータが異なり、作業管理が非常に重要となっている。作業の自動化が行なわれ作業者の負担が軽減されても、必ず人が混在している。特に版データの検査工程において、誰が検査を行なったのか、結果はどうであったのかという作業履歴管理が徹底されておらずに後々問題になる場合があり、責任を明確化する必要がある。本発明はこのような問題点を考慮してなされたものであり、新装置もしくは既存のＲＩＰ機・検査機といった刷版工程の各装置に、作業責任を含めた作業状況を明確化させる機能を持たせた装置を提供することを課題とする。
【０００５】
【課題を解決するための手段】
課題を解決するための第１の発明は、刷版工程を流れる品目データの作業進行を管理する装置であって、その第１の態様は、
ＲＩＰ処理、検版処理、出力処理といった刷版作業の進捗状況を品目の進行単位毎に確認して、品目の進行単位毎の進捗状況データを工程毎の担当作業者名をも含めて記録管理する進行管理手段と、作業者の入力する作業者名を受付ける操作入力手段と、進捗状況を前記進行管理手段が管理する進行管理単位毎に画面表示する表示制御手段と、前記進捗状況データを記録する記憶部と、を具備することを特徴とする刷版進行装置である。
【０００６】
すなわち、前記進行管理手段は、進行管理単位毎に進行状況データを記録管理する際、担当作業者が存在する処理工程については必ず担当作業者名を記録管理することを特徴とするものである。このことにより、トラブルが起きた時等の責任の所在の確認が容易となる。
【０００７】
第１の発明の第２の態様に係る刷版進行装置は、第１の態様に係る刷版進行装置において、前記進行管理手段は、進行管理単位データのＲＩＰ作業の開始及び終了または、出力処理の終了を、ネットワークを通じて接続された当該処理装置の特定のフォルダに存在するデータファイルを調べることにより検知することを特徴とするものである。このような特徴を有する刷版進行装置は、当該処理装置との間でネットワークケーブルにより接続する以外は特別なハードウエア手段を備えることなく品目作業の進行を検知可能となる。
【０００８】
第１の発明の第３の態様に係る刷版進行装置は、第１の態様に係る刷版進行装置において、前記進行管理手段は、必要に応じてＲＩＰ装置をはじめとする処理装置に対してネットワークを通じて必要な工程作業を開始させるためのコマンドメッセージを発行する機能を備えたことを特徴とするものである。
【０００９】
第１の発明の第４の態様に係る刷版進行装置は、第１の態様に係る刷版進行装置において、前記表示制御手段は、前記進行管理手段が管理する進行管理単位毎に進行状況を画面表示する際、作業開始ないし作業中ないし正常作業終了ないし不良発見などの異常発生といった進行状況を、表示色によって区別して画面表示することを特徴とするものである。この結果、進捗状況が一目でわかりやすく表示される。
【００１０】
第１の発明の第５の態様に係る刷版進行装置は、第１の態様に係る刷版進行装置において前記表示制御手段は、前記進行管理手段が管理する進行管理単位毎に進行状況を画面表示する際、担当作業者が存在する処理工程については担当作業者名を含めて画面表示することを特徴とするものである。
【００１１】
第１の発明の第６の態様に係る刷版進行装置は、第１の態様に係る刷版進行装置において、前記表示制御手段は、前記進行管理手段が管理する進行管理単位毎にその進行状況を画面表示する際、どのような品目かが簡単に把握できるようにするためにサムネイル画像とともに表示することを特徴とするものである。
【００１２】
第１の発明の第７の態様に係る刷版進行装置は、第１の態様に係る刷版進行装置において、品目の進行単位毎の進捗履歴データを進行管理単位ごとに記録管理したデータベースを維持管理することにより、「作業者名」ないし「日付」ないし「品番」ないし「不良の有無」（不良有りの場合、「不良の内容」）をキーワードとした検索キーによって現在進行中または処理が完了した品目データの作業履歴情報を検索する機能を具えることを特徴とするものである。このような形で情報を蓄積することによりトラブル等が生じた時に様々な検索条件により調査できることとなる。
【００１３】
課題を解決する第２の発明は、コンピュータまたはコンピュータが組込まれた刷版工程の装置に組込むことによって、そのコンピュータまたは刷版工程の装置を第１の発明に係る刷版進行装置として動作する一連の命令を記述したコンピュータプログラムである。コンピュータプログラムを組込むことにより、例えば独立した刷版進行装置としてではなくＲＩＰ装置に同様な機能を搭載させることも可能となる。
【００１４】
【発明の実施の形態】
［刷版進行装置１の概要］  以下図面を用いて、本発明の一実施形態である刷版進行装置１を説明してゆく。図１は、刷版進行装置１が管理する面付け装置５、ＲＩＰ機２、検査機４、ＣＴＰ装置３、カラープリンタ７といった各作業装置と品目情報管理装置６と刷版進行装置１の構成図とを示している。便宜上、面付け装置５、ＲＩＰ機２、検査機４、ＣＴＰ装置３を総称して刷版工程装置群１００と呼ぶことにする。刷版進行装置１と品目情報管理装置６および刷版工程装置群１００はネットワーク９で接続されている。また、刷版進行装置１は、検査機４の作業者の作業管理端末としての役割も兼ねており、検査作業者は、検査作業前に刷版進行装置１に作業者名を入力し、検査作業後は刷版進行装置１に検査結果を入力する。品目情報管理装置６は、品目情報データベース６１を管理しているサーバー装置である。品目情報データベース６１には入稿した品目に関わる管理情報が蓄積され管理されている。ＲＩＰ機２には外部からネットワーク９を通じてアクセス可能な共有フォルダ（入力フォルダ１、出力フォルダ１、２）が備えられていて、入力フォルダ１に編集済ＤＴＰデータが送られると、自動的にＲＩＰ処理が開始される。
【００１５】
刷版進行装置１は、検査作業者等からの入力を促し、入力を受付ける操作入力手段１１、刷版工程装置群１００上を流れている品目の進行状況を常時監視して品目の進捗情報を収集し、必要な時は装置に対して特定の処理を開始させる指示を出す進行管理手段１２、進行管理手段１２が収集した情報に基づき品目の進行状況をモニタディスプレイ１４にわかりやすく表示する表示制御手段１３、粗画像データ、各品目の作業履歴データ等を記録する記憶部１５から構成される。操作入力手段１１は、バーコードリーダー１１１、および、キーボード１１２により作業者からの入力を受付けるが、これ以外に、専用の操作卓上のボタン、カードリーダー、マウスを入力機器として用いてもよい。
【００１６】
［刷版進行装置１を利用した刷版工程の流れ］  図２は、刷版進行装置１を導入した刷版工程のデータフローである。以下、図２に基づき刷版進行装置１を導入した刷版工程の進行の流れとそれに伴うデータの流れを説明する。刷版進行装置１は、多面付けされた折り単位のデータのまとまりをＪＯＢとして扱い、その進行を管理する。図２において、中央部の破線による囲みはＲＩＰ装置２上のフォルダ、データ、および実行される処理を表す。すなわち、入力フォルダ１、２および出力フォルダ１、２はＲＩＰ装置２上の特定のフォルダであるとする。尚、出力フォルダ１、２はＲＩＰ機上でなければならないというわけではない。刷版進行装置１上の特定フォルダであってもよい。
【００１７】
１）製版工程から渡されるレイアウトデータは面付け装置５にて多面付けされ、得られた多面付済      データがＲＩＰ装置２の入力フォルダ１にコピーされるとＲＩＰ処理が開始される。
２）ＲＩＰ処理により、高解像度と低解像度の２種類のＲＩＰ済データ（低解像度ＲＩＰ済データはデー      タ通信や刷版検査機の演算処理等の負荷を軽減するために刷版検査が行える程度にデータの      解像度を低くしているのだが、処理能力の高い装置であればこれを作成せずに高解像度ＲＩＰ      済データのみで進行しても良い）が、それぞれ出力フォルダ１、出力フォルダ２に作成され      る。
３）検査作業を開始するために検査担当作業者は、自分の名前を刷版進行装置１に入力する。出力      フォルダ２から低解像度ＲＩＰ済データを刷版進行装置１にコピーし、更にそれを刷版進行装      置１から検査機４へコピーされて検査が始まる。同様に、出力フォルダ１から刷版進行装置      １へ高解像度ＲＩＰ済データが再版・再出力用にコピーされる。
４）検査機４での検査結果は検査作業者が刷版進行装置１に入力する。不良があった場合は、検査      機４から不良内容を表す検査結果をプリンタ７で出力し、製版工程へ送られる。ただし、面      付け工程で発生した不良に関しては、検査結果は面付け工程を送られる。不良の有無に関わ      らず、検査結果は刷版進行装置１に保存される。
５）不良がなかった場合は、刷版進行装置１からＲＩＰ装置２へ、高解像度ＲＩＰ済データを出力フ      ォルダ１から入力フォルダ２へ移動する指示が出され、実行される。
６）入力フォルダ２へのコピーが完了するとＲＩＰ装置２では、ＣＴＰ用出力データの作成とそのデ      ータのＣＴＰ装置３への転送が開始される。すなわち、入力フォルダ２へのコピーが完了す      ると自動的に出力処理がスタートする。
【００１８】
［ＪＯＢの進行状況表示機能］  図６は、一つのＪＯＢについて、表示制御手段１３によりディスプレイ１４に表示するその進行状況を表示する表示枠８０の構成を示したものである。尚、入稿時の１つの品目データ（受注単位のデータ）は、ＲＩＰ処理を行う段階では１つ以上の折りで定まる処理単位であるＪＯＢに分解される。このＪＯＢは「品番」によりユニークに識別されて管理されるものとする。左上に品番表示欄８１がありＪＯＢを特定する品番が表示される。表示枠８０の上部はサムネイル画像表示欄８２であって、ＲＩＰ終了後はここにＲＩＰ済データを大幅に間引いたサムネイル画像を表示する。表示枠８０の下部は、ＲＩＰ処理、検査処理、出力処理の進行状況をモニタ表示する部分が設けられ、それぞれの処理の終了（予定）時刻、および作業者名を表示する欄８３、８４、８５が設けられている。
【００１９】
図３は一つのＪＯＢが、入稿→ＲＩＰ→検査→再入稿→検査→版出力に至る場合の表示枠８０の表示の変化を示している。図３の▲１▼〜▲４▼、図４の▲５▼〜▲７▼の番号は図２のフロー図の番号に対応する。図３▲１▼および図４▲５▼は、ＲＩＰ処理が開始された状態のＪＯＢの表示例である。図３▲１▼ではサムネイル画像表示欄８２にはまだ画像は表示されず代わりに「作業中」と表示する。▲５▼は再入稿されたＪＯＢの場合であって、再入稿データであることをわかるようにサムネイル画像表示欄８２に「再入稿」と表示している。
【００２０】
ＲＩＰ処理が終了するとサムネイル画像表示欄８２にサムネイル画像が表示され図３▲２▼のような表示となる。ＲＩＰのタイトルと表示欄８３の背景は当該処理工程が正常に完了したことを示すため、青色表示に変わる。表示欄８３には終了日時が表示される。
【００２１】
図３▲３▼は検査処理が始まったＪＯＢの状態を表している。サムネイル画像表示欄８２に「作業中」の文字が表示され表示欄８４には、作業終了予定時刻と作業者名が表示され、作業が始まった事を示すため検査タイトルと表示欄８４中の文字は青色表示される。検査結果として検査作業者が「ＮＧ」と判定した場合の表示例が図３▲４▼である。検査タイトルと表示欄８４の背景が赤色表示となる。
【００２２】
図４▲６▼は、検査結果が「ＯＫ」として正常に終了し、出力処理が始まった状態の表示枠８０を示す。検査のタイトルと表示欄８４の背景は当該処理工程が正常に完了したことを示すため、青色表示に変わる。そして出力処理が始まった事を示すため出力タイトルと表示欄８５中の文字は青色表示される。表示欄８５は出力開始時刻が表示される。図４▲７▼は出力処理が正常に終了した時の表示枠８０を示す。サムネイル画像表示欄８２の「作業中」表示が消え、版出力のタイトル及び表示欄８５の背景が青色となる。
【００２３】
図５は、進行装置１のディスプレイ１４の画面に表示される進行状況表示画面の一例を示す。図５の例では、一度に８個のＪＯＢの進行状態をチェックすることができるよう、位置画面にに８個の表示枠８０を表示している。刷版工程装置群１００に投入された新しいＪＯＢは、ＲＩＰ装置２にデータが送られた際に、枠が全て左にずれ、右下角に新しいＪＯＢ枠８０が作成され表示される。つまり、新しいＪＯＢから古いＪＯＢの順に画面下段の右から左、上段の右から左に表示される。図５のように画面上に表示することで工程の管理者は、各ＪＯＢの進捗状況を一目で把握することができる。
【００２４】
版出力後の高解像度ＲＩＰ済データは大容量のため数日間で消去されるが，低解像度ＲＩＰ済データは履歴データと同じ期間保存された後、自動消去されデータ表示が薄くなる（図５の左上角の表示枠８０参照）。高解像度ＲＩＰ済データは消去されるまでの数日間はすぐに版出力可能である。作業履歴は、一覧表示の中から選択することも可能であるし、作業者名や品番、品名、高解像度ＲＩＰ済データ名などからの文字入力検索もできる。
【００２５】
［進行管理手段１２の詳細説明］  次に、以上説明したような進行装置１を実現するため、その中心的な役割を果たす進行管理手段１２について以下に詳細に説明する。
【００２６】
図７および図８に、品目ごとのＲＩＰ・検査・版出力といった作業状況をモニタする進行管理手段１２のフローチャートを示した（図２・図３に対応）。以下図７、図８のフローチャートに沿って進行管理手段１２の動作を説明する。進行管理手段１２は刷版工程装置群１００において生じる幾つかの種類のイベントの発生を常時監視しており、特定の種類のイベントが発生したことによりある品番のタスクが次のステップに進んだことを検知し、その状態を進行管理装置１の表示制御手段１３に伝えることにより刷版工程装置群１００上を流れる複数の品目の進行状況をディスプレイ１４に表示する。監視するイベントは、ＲＩＰ装置２の入力フォルダ１、および出力フォルダ１および２に新しいファイルが出現したこと、検査機４の作業者による進行管理装置１への入力、ＣＴＰ装置３の出力終了である。
【００２７】
１）進行管理手段１２は、ＲＩＰ装置２の入力フォルダ１を監視し、面付け装置５により作成され      た多面付済データが存在するかどうかチェックする（Ｓ１）。多面付済データが存在する場      合は、多面付済データが入力フォルダ１にコピーされた時に、ＲＩＰ装置２のホットフォル      ダ機能によりＲＩＰ処理が開始させるが、ＲＩＰ処理が終了するまでは多面付済データは入      力フォルダ１に存在する。進行管理手段１２は新しい多面付済データの存在を検知すると、      そのファイル名を読取る（Ｓ２）。
２）進行管理手段１２は多面付済データのファイル名をキーに品目情報管理装置６が保持する管理      データベース６１にアクセスして、多面付済データの品番、および、初校か再入稿で処理し      たデータかのフラグを取得して、それらを（品番：５２０３０、初校か再入稿かのフラグ：初校      、状態ステータス：ＲＩＰ処理中）というような当該ＪＯＢの進行状態を示すデータにまと      めて記憶部１５の所定の記憶領域に記録するとともに、表示制御手段１３に対して当該品番      の表示枠８０を新規に生成するよう指令する（Ｓ３）。表示制御手段１３は表示モニタ１４      に当該品番のＪＯＢが進行する様子を表示する枠を新規に表示して、「作業中」の文字およ      びＲＩＰ終了予定時刻を表示する（Ｓ４、図３▲１▼の状態）。この時、再入稿の場合はそれとわ      かるよう「再入稿」の文字を枠に表示する（図４▲５▼参照）。
【００２８】
３）進行管理手段１２は、出力フォルダ２に低解像度ＲＩＰ済データが作成されたかどうかを監視す      る（Ｓ１０）。
４）新しくデータが作成されていたことを確認した場合は、このデータを刷版進行装置１にコピー      する。同様に、出力フォルダ１には高解像度ＲＩＰ済データが保存されているので、これも刷      版進行装置１にコピーする（Ｓ１２）。また当該ＪＯＢの進行状態を示すデータを更新する      （「状態ステータス：ＲＩＰ終了」とする）
５）表示制御手段１３は更新された当該ＪＯＢの進行状態を示すデータに基づいて表示枠８０の表      示を更新する。すなわち、刷版進行装置１にとり込まれた低解像度ＲＩＰ済データからさらに      解像度を低くした粗画像（サムネイル）に変換し、表示枠の中に表示するとともに「作業中      」表示を消去し、ＲＩＰの欄を青く塗り潰し、終了時刻を表示する（Ｓ１４、この状態が図３      ▲２▼に示すＲＩＰ終了を表した状態である。）。
【００２９】
６）作業者は、検査機４にて検査作業を行なう際に、操作入力手段１１に、キーボード１１２また      はバーコードリーダー１１１を通じて作業者名を読取らせる（Ｓ１２）。
７）キーボード１１２またはバーコードリーダー１１１により何かが入力されたことをＯＳから通      知された進行管理手段１２は、入力データをチェックし（Ｓ２１）、それが作業者名であれ      ば、検査作業を開始するという意味なので、刷版進行装置１から検査機４へステップＳ１２      で読込んであった低解像度ＲＩＰ済データをコピーする（Ｓ２２）。尚この時、検査作業が可      能な品番データが複数存在する場合は、検査作業者はどの品番データに対して検査処理を開      始するのかを特定するため、表示枠を選択し指示入力を行う必要がある。また当該ＪＯＢの      進行状態を示すデータを更新する（「状態ステータス：検査作業中」とする）
８）表示制御手段１３は更新された当該ＪＯＢの進行状態を示すデータに基づいて表示枠８０の表      示を更新する。すなわち、対応する品番のモニタ表示枠について検査終了予定時刻・作業者      名を表示し、サムネイル画像の上に「作業中」と表示する（Ｓ２４、図３▲３▼の状態）。この      後イベント発生を監視するステップＳ１に戻る。
９）キーボード１１２またはバーコードリーダー１１１により何かが入力されたことをＯＳから通      知された進行管理手段１２は、入力データをチェックし（Ｓ２１、Ｓ３０）、それが検査結      果入力であれば、検査結果に応じた処理を行う。
１０）検査の結果、作業者が「不良：ＮＧ」とした場合は、進行管理手段１２は当該ＪＯＢの進行      状態を示すデータを更新する（「状態ステータス：検査ＮＧ」とする）。表示制御手段１３      は更新された当該ＪＯＢの進行状態を示すデータに基づいて表示枠８０の表示を更新する。      すなわち、該当する品番のモニタ表示枠の「作業中」表示を消去し、検査の欄の背景を赤く      し、「検査ＮＧ」とし、検査終了時刻を表示する（Ｓ３２、図３▲４▼参照）。そして検査結果デ      ータは履歴データとして刷版進行装置内に保存される。これらの履歴データは刷版進行装置      で確認できるが、品目情報管理装置６の品目情報データベース６１へ取り込むことでも、確      認可能である。この後イベント発生を監視するステップＳ１に戻る。
１１）検査の結果、作業者が「ＯＫ」とした場合は、進行管理手段１２は当該ＪＯＢの進行状態を      示すデータを更新する（「状態ステータス：検査終了」とする）。表示制御手段１３は更新      された当該ＪＯＢの進行状態を示すデータに基づいて表示枠８０の表示を更新する。すなわ      ち、「作業中」表示を消去し、検査の欄を青く塗り潰し、「検査ＯＫ」とし、検査終了時刻を      表示する（Ｓ３４）。さらに、進行管理手段１２は、検査結果データを所定のログファイル      に取込む。そして、ＣＴＰ装置３から出力を行うために、進行管理手段１２は、ＲＩＰ装置      ２に対して出力フォルダ１にある高解像度ＲＩＰ済データを入力フォルダ２へ移動指示するコ      マンドメッセージを発行する（Ｓ３６）。
１２）移動指示通り移動が開始されると、進行管理手段１２は当該ＪＯＢの進行状態を示すデータ      を更新する（「状態ステータス：出力処理中」とする）。表示制御手段１３は更新された当      該ＪＯＢの進行状態を示すデータに基づいて表示枠８０の表示を更新する。すなわち、対応      する品番の表示枠のサムネイル画像の上に「作業中」と表示し、版出力終了予定時刻を表示      して、当該品番の作業が出力処理中であることを表示する（Ｓ３８、図４▲６▼参照）。
１３）この後イベント発生を監視するステップＳ１に戻る。
【００３０】
１４）進行管理手段１２は、ＣＴＰ装置３で出力中のデータについて版出力が終了したことを検知      すると（Ｓ５０）、当該ＪＯＢの進行状態を示すデータを更新する（「状態ステータス：出      力終了」とする）。表示制御手段１３は更新された当該ＪＯＢの進行状態を示すデータに基      づいて表示枠８０の表示を更新する。すなわち、対応する品番のモニタ枠表示の「作業中」      表示を消去し、版出力の欄を青く塗り潰し、版出力の欄に版出力終了時刻を表示し終了する      （Ｓ５２、図４▲７▼参照）。この後イベント発生を監視するステップＳ１に戻る。尚、出力中      のデータの出力終了を外部の装置である刷版進行装置１がどのように検知するかは、ＲＩＰ      装置またはＣＴＰ装置の仕様に依存する。通常ＲＩＰ装置は出力データをＣＴＰ装置３へ専      用の高速データ線で転送するため、ＲＩＰ装置はデータ出力が終了したことは当然知ることができる。通常刷版進行装置１は出力が終了した時にＲＩＰ装置に生じるイベント、例えば      、ネットワークから共有アクセスできるメモリ領域に状態フラグが変化する、または、入力      フォルダ２から共有アクセスできる特定のフォルダ（出力フォルダ３）に高解像度ＲＩＰ済デ      ータが移される等、を検知することにより刷版進行装置１は出力終了を知ることができる。
【００３１】
進行管理手段１２は各ＪＯＢの進行状態の変化を示すイベントが生じる度に、当該ＪＯＢの進行状態を示すデータを更新し、表示制御手段１３は更新された当該ＪＯＢの進行状態を示すデータに基づいて表示枠８０の表示を図３▲１▼から図４▲７▼のように表示するが、このように機能する表示制御手段１３は、ソフトウエア技術者であれば、ソフトウエアプログラムによりごく普通に実現することができる。
【００３２】
進行管理手段１２が管理する当該ＪＯＢの進行状態を示すデータは、その進行管理単位毎に市販データベースエンジンソフト等により検索可能なデータベースレコードとして作成登録しておけば、後で、トラブルが生じた時に、例えば、作業日時や品番をキーにして検索することにより、その品番のデータについて検査作業を行った担当者名を割り出すといったことが可能である。レコードの項目に品目名、多面付済データ名、不良があった場合の不良内容の記述も加えておけば、それらによっても検索を行うことが可能となる。
【００３３】
以上、本発明について説明したが、本発明にかかる機能は独立した刷版進行装置１として実現することに限定されるものではなく、検査機４やＲＩＰ装置２に本発明にかかる機能を持たせることも可能である。
【００３４】
【発明の効果】
本発明に係る刷版進行装置によって、刷版工程における作業進捗状況の確認だけでなく、刷版進行装置から版出力などの作業指示を行なうことができる。進捗状況はサムネイル画像とともに表示されるので、作業者はどの品目の作業がどこまで進んでいるのかを容易に把握できる。また、検査作業は作業者名を入力しないとその工程へ進めないため、作業責任の明確化につながり、これと刷版作業状況の把握により、作業ミス減少・不良事故防止の効果を期待できるという顕著な効果を奏する。刷版工程のＲＩＰ・検査機といった既存の作業装置に本発明の装置機能を持たせることもでき、導入コストの削減もできるという顕著な効果をも奏する。
【図面の簡単な説明】
【図１】本発明の実施形態に係る刷版進行装置１と刷版工程装置群１００の全体構成図である。
【図２】刷版進行装置１を利用した場合の刷版工程の作業フロー図である。
【図３】ＪＯＢの進行によるＪＯＢ表示枠８０の表示変化の説明図である。
【図４】ＪＯＢの進行によるＪＯＢ表示枠８０の表示変化の説明図である。
【図５】刷版進行装置１のＪＯＢの進行管理表示画面である。
【図６】ＪＯＢ表示枠８０のフォーマットの説明図である。
【図７】進行管理手段１２の動作を説明するフローチャートである。
【図８】進行管理手段１２の動作を説明するフローチャートである。
【符号の説明】
１          刷版進行装置
２          ＲＩＰ装置
３          ＣＴＰ装置
４          検査機
５          面付け装置
６          品目情報管理装置
７          カラープリンタ
１１      操作入力手段
１２      進行管理手段
１３      表示制御手段
１４      ディスプレイ
１５      記憶手段
６１      品目情報データベース
１００  刷版工程装置群
【図１】
2004240772.tif 000003
【図２】
2004240772.tif 000004
【図３】
2004240772.tif 000005
【図４】
2004240772.tif 000006
【図５】
2004240772.tif 000007
【図６】
2004240772.tif 000008
【図７】
2004240772.tif 000009
【図８】
2004240772.tif 000010
【手続補正書】
【提出日】平成15年3月7日(2003.3.7)
【手続補正１】
【補正対象書類名】図面
【補正対象項目名】全図
【補正方法】変更
【補正の内容】
【図１】
2004240772.tif 000011
【図２】
2004240772.tif 000012
【図３】
2004240772.tif 000013
【図４】
2004240772.tif 000014
【図５】
2004240772.tif 000015
【図６】
2004240772.tif 000016
【図７】
2004240772.tif 000017
【図８】
2004240772.tif 000018